(57)【要約】【課題】  張力が掛かっても損傷することが無い位置にソケットを位置決めすることができること。【解決手段】  本発明のエレベーターの主ロープ固定装置は、乗りかごとつり合いおもりとの間に複数本張設される主ロープの端部に設けられ、各主ロープが固定される複数のソケットと、ソケットと固定されると共に、頂部梁に固定されるロッドと、ロッドとソケットを固定する固定ピンと、固定ピンがソケット及びロッドから抜けないように固定ピンに設けられた割ピンと、主ロープの端部から延設された各主ロープが巻掛けられるつり合いおもりプーリとを備え、ソケットは一方向に延伸する長軸を有する形状をしており、少なくとも前記つり合いおもりプーリが最上部にあるときに、つり合いおもりプーリのロープ溝の中心と、ソケットの長手方向軸との角度が鋭角をなすようにソケットが位置している。【選択図】図１
2017154871.tif 000002
【特許請求の範囲】
【請求項１】
乗りかごとつり合いおもりとの間に複数本張設される主ロープの端部に設けられ、各主ロープが固定される複数のソケットと、これらのソケットに固定されると共に、頂部梁に固定されるロッドと、該ロッドと前記ソケットを固定する固定ピンと、該固定ピンが前記ソケット及び前記ロッドから抜けないように前記固定ピンに設けられた割ピンと、前記主ロープの端部から延設された各主ロープが巻掛けられるつり合いおもりプーリとを備えたエレベーターの主ロープ固定装置において、
前記ソケットは一方向に延伸する長軸を有する形状をしており、
少なくとも前記つり合いおもりプーリが最上部にあるときに、該つり合いおもりプーリのロープ溝の中心と、前記ソケットの長手方向軸との角度が鋭角をなすように前記ソケットが位置していることを特徴とするエレベーターの主ロープ固定装置。
【請求項２】
請求項１に記載のエレベーターの主ロープ固定装置において、
前記主ロープ固定装置は、前記ロッドの周囲を狭圧する半円状の溝を有する一対の狭圧片を更に備え、該一対の狭圧片は、前記ソケットを位置決めする位置決め部が形成され、該位置決め部に、前記つり合いおもりプーリのロープ溝の中心と前記ソケットの長手方向軸との角度が鋭角をなすように前記ソケットが位置決めされていることを特徴とするエレベーターの主ロープ固定装置。
【請求項３】
請求項２に記載のエレベーターの主ロープ固定装置において、
前記位置決め部は、前記ソケットの前記ロッド側端面を係止可能な溝部で形成され、前記一対の狭圧片が当接した状態で前記複数のソケットが一直線となるように形成されていることを特徴とするエレベーターの主ロープ固定装置。
【請求項４】
請求項２又は３に記載のエレベーターの主ロープ固定装置において、
前記一対の狭圧片の半円状の溝内に前記ロッドが収容され、締結具で前記一対の狭圧片を狭圧固定した状態で前記位置決め部に前記ソケットが係止されることを特徴とするエレベーターの主ロープ固定装置。
【請求項５】
請求項４に記載のエレベーターの主ロープ固定装置において、
前記位置決め部に前記ソケットが係止された状態での前記ソケットの長手方向軸と、前記ソケットと前記ロッドを固定する前記固定ピンとが直交するように配置されていることを特徴とするエレベーターの主ロープ固定装置。
【発明の詳細な説明】
【技術分野】
【０００１】
本発明はエレベーターの主ロープ固定装置に係り、特に、エレベーターの乗りかごとつり合いおもりとの間に設けられる主ロープを固定するものに好適なエレベーターの固定装置に関する。
【背景技術】
【０００２】
一般的に、エレベーターでは、乗りかごとつり合いおもりとの間に主ロープが設けられ、この主ロープを介して乗りかごとつり合いおもりとが釣瓶式に昇降路内を昇降している。
【０００３】
そして、この主ロープは複数設けられているが、そのローピング時には、互いに干渉しないように各主ロープを、その主ロープの端部で相互に固定する主ロープ固定装置が設けられる(特許文献１参照)。
【先行技術文献】
【特許文献】
【０００４】
【特許文献１】特開２００６−１８８３１５号公報
【発明の概要】
【発明が解決しようとする課題】
【０００５】
ところで、主ロープの端部は、主ロープが固定されるソケットと、このソケットと固定されると共に、頂部梁などの強度部材に固定されるロッドと、このロッドとソケットを固定する固定ピンと、この固定ピンがソケット及びロッドから抜けないように固定ピンに設けられる割ピンとを備えて構成されている。
【０００６】
そして、主ロープに張力が掛かると主ロープの端部にも負荷が掛かかり、それによりソケットと割ピンにせん断力が掛かり、固定ピンがロッド及びソケットから抜ける方向にロープ張力が付加されることになり、割ピンが損傷する可能性が有る。即ち、ロッドが固定状態で主ロープが上下、左右、前後に動くと、ソケットがそれに追従することができず（ソケットが自由に動くことができず）に引っ張られ、その力が割ピンに伝わり損傷する恐れがある。
【０００７】
よって、それを防止するために、ソケットと割ピンにせん断力が発生しても、割ピンが損傷しない方向にソケットを向けた状態、つまり、ロッドが固定状態で主ロープが上下、左右、前後に動いても、ソケットがそれに追従することができる（ソケットが自由に動くことができる）状態（方向(角度)）に位置決めする必要性が有った。
【０００８】
しかしながら、上述した特許文献１に記載された従来技術では、割ピンが損傷しないようにするソケットの方向(角度)の位置決めについての考慮がなされておらず、割ピンが損傷する懸念があった。
【０００９】
本発明は上述の点に鑑みてなされたもので、その目的とするところは、主ロープに張力が掛かっても割ピンが損傷することが無い位置（角度）にソケットを位置決めすることができるエレベーターの主ロープ固定装置を提供することにある。
【課題を解決するための手段】
【００１０】
本発明のエレベーターの主ロープ固定装置は、上記目的を達成するために、乗りかごとつり合いおもりとの間に複数本張設される主ロープの端部に設けられ、各主ロープが固定される複数のソケットと、これらのソケットに固定されると共に、頂部梁に固定されるロッドと、該ロッドと前記ソケットを固定する固定ピンと、該固定ピンが前記ソケット及び前記ロッドから抜けないように前記固定ピンに設けられた割ピンと、前記主ロープの端部から延設された各主ロープが巻掛けられるつり合いおもりプーリとを備えたエレベーターの主ロープ固定装置において、前記ソケットは一方向に延伸する長軸を有する形状をしており、少なくとも前記つり合いおもりプーリが最上部にあるときに、該つり合いおもりプーリのロープ溝の中心と、前記ソケットの長手方向軸との成す角が鋭角をなすように前記ソケットが位置していることを特徴とする。
【発明の効果】
【００１１】
本発明によれば、主ロープに張力が掛かっても割ピンが損傷することが無い位置（角度）にソケットを位置決めすることができる。
【図面の簡単な説明】
【００１２】
【図１】本発明のエレベーターの主ロープ固定装置の実施例１であり、ソケットを位置決め部の溝部に係止される前の状態を示す斜視図である。
【図２】図１の平面図である。
【図３】本発明のエレベーターの主ロープ固定装置の実施例１での正しいソケット角度に調整後の位置関係を示す平面図である。
【図４】本発明のエレベーターの主ロープ固定装置の実施例１での正しいソケット角度に調整後の位置関係を示す斜視図である。
【図５】本発明のエレベーターの主ロープ固定装置の実施例１での正しいソケット角度に調整前の位置関係を示す平面図である。
【図６】本発明のエレベーターの主ロープ固定装置の実施例１での正しいソケット角度に調整前の位置関係を示す斜視図である。
【図７】本発明のエレベーターの主ロープ固定装置の実施例１であり、ソケットを位置決め部の溝部に係止された状態を示す斜視図である。
【図８】本発明のエレベーターの主ロープ固定装置の実施例１を適用するエレベーターのローピング構造を示す昇降路縦断面図である。
【発明を実施するための形態】
【００１３】
以下、図示した実施例に基づいて本発明のエレベーターの主ロープ固定装置を説明する。なお、各図において同一構成部品は同符号を使用する。
【実施例１】
【００１４】
先ず、本発明のエレベーターの主ロープ固定装置の実施例１を適用するエレベーターのローピング構造を、図８を用いて説明する。
【００１５】
該図に示すように、主ロープ４は、つり合いおもり３０側の主ロープ端部４０ａが頂部梁６０に固定されており、ここから垂下してつり合いおもりプーリ３０ａに巻掛けられた後に引上げられて、第１の転向プーリ５０ａに巻掛けられた後に垂下して巻上機７０のシーブ７０ａに巻掛けられる。
【００１６】
次に、再度引上げられて第２の転向プーリ５０ｂに巻掛けられた後に垂下して、２つのかご下プーリ２０ａに巻掛けられた後に引上げられて、他端側のロープ端部４０ｂが頂部梁６０に固定されることで主ロープ４がローピングされている。
【００１７】
そして、つり合いおもり３０側の主ロープ端部４０ａは、図４に示すように、長円状のソケット２の内部に設置され、先端が先細のクサビ２ｄに主ロープ４を巻き掛け引き下げることで固定され、このソケット２とロッド３は、ソケット２の両側面に設けられた孔２ｃとロッド３の先端に設けられた貫通孔（図示せず）に固定ピン２ａを通すことで連結固定されており、更に、固定ピン２ａが抜けることを防止するために、固定ピン２ａの両端には割ピン２ｂが設けられている。
【００１８】
図１は、本発明のエレベーターの主ロープ固定装置１の実施例１であり、ソケット２を後述する位置決め部１ａの溝部１ａ´に係止される前の状態を示し、図２は、図１の平面図である。
【００１９】
図１及び図２に示すように、本実施例の主ロープ固定装置１は、乗りかご２０とつり合いおもり３０との間に複数本張設される主ロープ４の端部に設けられ、各主ロープ４が固定される長円状のソケット２と、これらのソケット２に固定されると共に、頂部梁６０などの強度部材に固定されるロッド３と、ソケット２とロッド３とを固定する固定ピン２ａと、この固定ピン２ａの両端に設けられ、固定ピン２ａがソケット２及びロッド３から抜けないように固定する割ピン２ｂと、つり合いおもり３０側の主ロープ端部４０ａから延設された各主ロープ４が巻掛けられるつり合いおもりプーリ３０ａと、上記ソケット２を位置決めする位置決め部１ａが形成され、ロッド３の周囲を狭圧する半円状の溝１１ｂ、１１ｃを有する一対の狭圧片１ｂ、１ｃとから概略構成されている。
【００２０】
本実施例では、後で詳述するが、一対の狭圧片１ｂ、１ｃの位置決め部１ａに、つり合いおもりプーリ３０ａのロープ溝３１ａの中心Ｐと長円状のソケット２の長手方向軸Ｑとの角度θ１が鋭角をなすようにソケット２が位置決めされている。
【００２１】
また、主ロープ固定装置１は、ロッド３の周囲を狭圧する半円状の溝１１ｂ、１１ｃを有する一対の狭圧片１ｂ、１ｃを更に備えており、一対の狭圧片１ｂ、１ｃは、図示しないボルト、ナットなどの締結具で締結固定されている。
【００２２】
更に、位置決め部１ａは、ソケット２のロッド３側端面を係止可能な溝部１ａ´で形成されており、図２に示すように、一対の狭圧片１ｂ、１ｃが当接した状態で複数のソケット２が一直線となるように形成されている。
【００２３】
そして、本実施例では、一対の狭圧片１ｂ、１ｃの半円状の溝１１ｂ、１１ｃ内にロッド３をそれぞれ収容し、図示しないボルト、ナットなどの締結具で一対の狭圧片１ｂ、１ｃを狭圧固定した状態で、溝部１ａ´で形成される位置決め部１ａにソケット２を係止させれば、図３に示すように、３つのソケット２のつり合いおもりプーリ３０ａのロープ溝３１ａの中心Ｐと長円状のソケット２の長手方向軸Ｑとの角度θ１は、同一の角度に位置決めされる。
【００２４】
即ち、本実施例では、図３に示すように、少なくともつり合いおもりプーリ３０ａが昇降路の最上部にあるとき（図８の状態）に、このつり合いおもりプーリ３０ａのロープ溝３１ａの中心Ｐと、長円状のソケット２の長手方向軸Ｑとの角度θ１が鋭角をなすようにソケット２が位置し、この状態で、一対の狭圧片１ｂ、１ｃの位置決め部１ａにソケット２が位置決めされているため、ロッド３が固定状態で主ロープ４が上下、左右、前後に動いても、ソケット２がそれに追従することができる（ソケット２が自由に動くことができる）状態（方向(角度)）に位置決めされているので、固定ピン２ａの長手方向、即ち、固定ピン２ａが抜ける方向にロープ張力が負荷されることが無いため、ソケット２と割ピン２ｂにせん断力が掛かり、割ピン２ｂが損傷することが無い。
【００２５】
これに対し、図５及び図６に示す角度、即ち、つり合いおもりプーリ３０ａのロープ溝３１ａの中心Ｐと、長円状のソケット２の長手方向軸Ｑとの角度θ１が鈍角をなすようにソケット２が位置決めされていると、ロッド３が固定状態で主ロープ４が上下、左右、前後に動いても、ソケット２がそれに追従することができず（ソケット２が自由に動くことができず）、図５の破線に示す主ロープ４の張力は、固定ピン２ａの長手方向、即ち、固定ピン２ａが抜ける方向にロープ張力が負荷されるために、ソケット２と割ピン２ｂにせん断力が掛かり、割ピン２ｂが損傷することとなる。
【００２６】
従って、本実施例の主ロープ固定装置１では、図１に示す状態にロッド３を挟む状態で取り付けた後、図７に示す状態に位置決め部１ａにソケット２を係止させ、ソケット２の角度を位置決めすることで、正規位置(角度)にソケット２の角度を位置決めすることができる。つまり、図７に示す状態は、位置決め部１ａにソケット２が係止された状態でのソケット２の長手方向軸Ｑと、ソケット２とロッド２を固定する固定ピン２ａとが直交するように配置されていることでもある。
【００２７】
その後、図１に示す状態に戻しておけば、通常運転が可能となり、その後の保守点検時にソケット２の角度の調整が必要であれば、上述と同様に主ロープ固定装置１を用いることにより、再度調整可能である。
【００２８】
このような本実施例のエレベーターの主ロープ固定装置によれば、つり合いおもりプーリ３０ａのロープ溝３１ａの中心Ｐと、長円状のソケット２の長手方向軸Ｑとの角度θ１が鈍角をなすようにソケット２が位置決めされていることで、固定ピン２ａを中心にソケット２が自由に動くことができるから、固定ピン２ａの長手方向にロープ張力が負荷されることが無いため、ソケット２と割ピン２ｂにせん断力が掛かり、割ピン２ｂが損傷することが無いので、張力が掛かっても損傷することが無い位置にソケット２を位置決めすることができる。
【００２９】
なお、本発明は上記した実施例に限定されるものではなく、様々な変形例が含まれる。例えば、上記した実施例では、長円状のソケットを使用した例を挙げて説明したが、本発明ではソケットの形状は一方向に延伸する長軸を有する形状であり、その長軸が長手方向軸となるかまたは平行となる形状であればよく、例えば、一方向に延伸する長軸を有する長方形状や多角形状などでもよい。このように上記実施例は、本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００３０】
１…主ロープ固定装置、１ａ…位置決め部、１ａ´…位置決め部の溝部、１ｂ、１ｃ…狭圧片、２…ソケット、２ａ…固定ピン、２ｂ…割ピン、２ｃ…孔、２ｄ…クサビ、３…ロッド、４…主ロープ、１１ｂ、１１ｃ…半円状の溝、２０…乗りかご、２０ａ…かご下プーリ、３０…つり合いおもり、３０ａ…つり合いおもりプーリ、３１ａ…つり合いおもりプーリのロープ溝、４０ａ…つり合いおもり側の主ロープ端部、４０ｂ…他端側の主ロープ端部、５０ａ…第１の転向プーリ、５０ｂ…第２の転向プーリ、６０…頂部梁、７０…巻上機、７０ａ…巻上機のシーブ、Ｐ…つり合いおもりプーリのロープ溝の中心、Ｑ…長円状のソケットの長手方向軸。
【図１】
2017154871.tif 000003
【図２】
2017154871.tif 000004
【図３】
2017154871.tif 000005
【図４】
2017154871.tif 000006
【図５】
2017154871.tif 000007
【図６】
2017154871.tif 000008
【図７】
2017154871.tif 000009
【図８】
2017154871.tif 000010